【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
データ照合及び統合の方法であって、
複数の配送経路から、送信元サーバのクロスデバイスからデータを受信するステップであって、前記データは、第一者ユーザ識別子及び第三者ユーザ識別子を含む、ステップと、
前記送信元サーバで前記第一者ユーザ識別子と前記第三者ユーザ識別子とを同期させるステップと、
同期された前記第一者ユーザ識別子及び前記第三者ユーザ識別子と、ユーザプロファイルとを近実時間で照合するステップと、
受信した前記データ及び前記ユーザプロファイルを、前記送信元サーバから宛先サーバに、近実時間でサーバ間直接メッセージ交換により送信するステップであって、前記宛先サーバは、前記ユーザプロファイルを複数の統合サービスに統合する、ステップと、
を含む、方法。
【請求項２】
前記宛先サーバは、データ受信機アプリケーションプログラミングインターフェース（ＡＰＩ）を含む、請求項１に記載の方法。
【請求項３】
前記複数の配送経路が、少なくとも、
放送媒体、ダイレクトメール、電子メール、ウェブ媒体、モバイル媒体、屋外媒体、及び店舗販売時点媒体のうちの少なくとも１つを含むマーケティング経路、または、実店舗販売、カタログ及びコールセンタ販売、インターネット販売、並びにモバイル機器販売のうちの少なくとも１つを含む購買経路、を含む、
請求項１又は２に記載の方法。
【請求項４】
前記第一者ユーザ識別子及び前記第三者ユーザ識別子と、ユーザプロファイルとを照合する前記ステップが、識別子照合モジュールを介して識別子データベースから宛先識別子を検索するように構成された識別子照合サービスを用いて行われる、請求項１〜３のいずれか一項に記載の方法。
【請求項５】
前記識別子照合モジュールが、第一者同期識別子及び第三者同期識別子を分析、生成、修正、追加、又は統合し、前記識別子照合モジュールは、出力応答を前記識別子照合サービスに送信するように構成されている、
請求項４に記載の方法。
【請求項６】
前記ユーザプロファイルが、ウェブブラウザ、デスクトップコンピュータ又は携帯電話／タブレット上で動作するネイティブアプリケーション、装置の埋め込みアプリケーションであって、前記装置は、店舗販売時点管理システム、テレビ、セットトップボックス、ゲームコンソール、電化製品、車両インフォマティクス、またはネットワークルーティング装置である、埋め込みアプリケーションのうちの少なくとも１つのユーザから提供されたプロファイルを含む、
請求項１〜５のいずれか一項に記載の方法。
【請求項７】
同期させる前記ステップが、多者識別子同期モジュールを介して識別子データベースにレコードを作成又は修正するように構成された、識別子同期サービスを用いて行われる、請求項１〜６のいずれか一項に記載の方法。
【請求項８】
前記多者識別子同期モジュールが、第一者同期識別子及び第三者同期識別子のレコードを分析、作成、追加、又は結合することによって前記識別子データベースに前記レコードを作成又は修正し、出力同期応答を前記識別子データベースに送信するように構成された、
請求項７に記載の方法。
【請求項９】
データ照合及び統合の装置であって、
少なくとも１つのプロセッサと、
コンピュータプログラムコードを具備した少なくとも１つのメモリであり、前記少なくとも１つのメモリ及び前記コンピュータプログラムコードが、前記少なくとも１つのプロセッサによって、前記装置に少なくとも、
複数の配送経路から、送信元サーバのクロスデバイスからデータを受信させ、前記データは、第一者ユーザ識別子及び第三者ユーザ識別子を含み、
前記送信元サーバで前記第一者ユーザ識別子と前記第三者ユーザ識別子とを同期させ、
同期された前記第一者ユーザ識別子及び前記第三者ユーザ識別子と、ユーザプロファイルとを近実時間で照合させ、
受信した前記データ及び前記ユーザプロファイルを、前記送信元サーバから宛先サーバに、近実時間でサーバ間直接メッセージ交換により送信させ、前記宛先サーバは、前記ユーザプロファイルを複数の統合サービスに統合する、ように構成された、少なくとも１つのメモリと、
を備える、装置。
【請求項１０】
前記宛先サーバは、データ受信機アプリケーションプログラミングインターフェース（ＡＰＩ）を含む、請求項９に記載の装置。
【請求項１１】
前記複数の配送経路が、
放送媒体、ダイレクトメール、電子メール、ウェブ媒体、モバイル媒体、屋外媒体、及び店舗販売時点媒体のうちの少なくとも１つを含むマーケティング経路と、
実店舗販売、カタログ及びコールセンタ販売、インターネット販売、並びにモバイル機器販売のうちの少なくとも１つを含む購買経路と、
のいずれか１つを含む、請求項９又は１０に記載の装置。
【請求項１２】
前記第一者ユーザ識別子及び前記第三者ユーザ識別子と、ユーザプロファイルとの前記照合が、識別子照合モジュールを介して識別子データベースから宛先識別子を検索するように構成された識別子照合サービスを含む、
請求項９〜１１のいずれか一項に記載の装置。
【請求項１３】
前記識別子照合モジュールが、第一者同期識別子及び第三者同期識別子を分析、生成、修正、追加、又は統合し、前記識別子照合モジュールは、出力応答を前記識別子照合サービスに送信するように構成されている、
請求項１２に記載の装置。
【請求項１４】
前記ユーザプロファイルが、ウェブブラウザ、デスクトップコンピュータ又は携帯電話／タブレット上で動作するネイティブアプリケーション、装置の埋め込みアプリケーションであって、前記装置は、店舗販売時点管理システム、テレビ、セットトップボックス、ゲームコンソール、電化製品、車両インフォマティクス、またはネットワークルーティング装置である、埋め込みアプリケーションのうちの少なくとも１つのユーザから提供されたプロファイルを含む、
請求項９〜１３のいずれか一項に記載の装置。
【請求項１５】
前記同期が、多者識別子同期モジュールを介して識別子データベースにレコードを作成又は修正するように構成された、識別子同期サービスを含む、
請求項９〜１４のいずれか一項に記載の装置。
【請求項１６】
前記多者識別子同期モジュールが、第一者同期識別子及び第三者同期識別子のレコードの分析、作成、追加、及び結合の少なくとも一つをすることによって前記識別子データベースにレコードを作成又は修正し、出力同期応答を前記識別子データベースに送信するように構成された、
請求項１５に記載の装置。
【請求項１７】
データ照合及び統合のシステムであって、
少なくとも１つのインターネット接続機器と、
少なくとも１つの仮想ローカルエリアネットワーク（ＶＬＡＮ）と、
請求項９〜１６のいずれか一項に記載の装置であり、前記少なくとも１つのメモリ及び前記コンピュータプログラムコードが、前記少なくとも１つのプロセッサによって、前記装置に少なくとも、
前記少なくとも１つのインターネット接続機器から前記ＶＬＡＮを介して、複数の配送経路からデータを受信させ、前記データは、第一者ユーザ識別子及び第三者ユーザ識別子を含み、
前記送信元サーバで前記第一者ユーザ識別子と前記第三者ユーザ識別子とを同期させ、
前記ＶＬＡＮを介して、同期された前記第一者ユーザ識別子及び前記第三者ユーザ識別子と、ユーザプロファイルとを近実時間で照合させ、
受信した前記データ及び前記ユーザプロファイルを、宛先サーバに、近実時間でサーバ間直接メッセージ交換により送信させ、前記宛先サーバは、前記ユーザプロファイルを複数の統合サービスに統合する、ように構成された、装置と、
を備える、システム。
【請求項１８】
プロセッサ上で実行された場合に、請求項１〜８のいずれか一項に記載の方法を実行するように構成されたソフトウェアコード部を備えるプログラムを格納した、コンピュータプログラム製品。